(57)【要約】【課題】    腕部又は脚部を安定して保持し、マッサージを施すことができるマッサージユニットを提供する。【解決手段】  上面と前後両端が開口した凹部20の側面に側面エアバック100を配置し、側面エアバックの膨張と収縮を繰り返して、凹部内に置いた脚部等にマッサージを施すもので、凹部の底面には指圧子42を配置し、側面エアバックの凹部の側面と接する側の側面で且つ凹部の開口側である上部には閉ループのコルゲート状の膨張部102を設け、さらに、側面エアバックの下端には凹部の底面に取り付けられる可撓性のベルト32を具え、側面エアバックは、膨張したときに、凹部の開口側が底面側に比べて、凹部の幅方向に大きく広がるようにした。【選択図】    図１０
2008207000.tif 000002
【特許請求の範囲】
【請求項１】
対向する２つの側壁の間に上面と前後両端が開口して形成される凹部と、該凹部の側面に配置され膨張及び収縮可能な側面エアバックとを具え、凹部に被施療者の腕部又は脚部を挿入し、側面エアバックの膨張と収縮を繰り返すことによって腕部又は脚部にマッサージを施すマッサージユニットにおいて、
前記凹部の底面に配置された指圧子と、
前記側面エアバックの前記凹部の側面と接する側の側面で且つ凹部の開口側に形成された閉ループのコルゲート状の膨張部と、
側面エアバックを凹部に取り付けるために側面エアバックに一体に形成されて前記凹部の底面に取り付けられる可撓性のベルトと、
側面エアバックにエアポンプからの空気を供給するために接続されるチューブを具え、
側面エアバックは、膨張したときに、凹部の開口側が底面側に比べて、凹部の幅方向に大きく広がることを特徴とするマッサージユニット。
【請求項２】
対向する２つの側壁の間に上面と前後両端が開口して形成される凹部と、該凹部の側面に配置され膨張及び収縮可能な側面エアバックとを具え、凹部に被施療者の腕部又は脚部を挿入し、側面エアバックの膨張と収縮を繰り返すことによって腕部又は脚部にマッサージを施すマッサージユニットにおいて、
前記凹部の底面に配置された指圧子と、
前記側面エアバックの前記腕部又は脚部と接する側の側面で且つ凹部の開口側に形成された閉ループのコルゲート状の膨張部と、
側面エアバックを凹部に取り付けるために側面エアバックに一体に形成されて前記凹部の底面に取り付けられる可撓性のベルトと、
側面エアバックにエアポンプからの空気を供給するために接続されるチューブを具え、
側面エアバックは、膨張したときに、凹部の開口側が底面側に比べて、凹部の幅方向に大きく広がることを特徴とするマッサージユニット。
【請求項３】
前記指圧子は、膨張収縮する指圧子駆動手段となる底面エアバックにより駆動され、底面エアバックの膨張により突出して腕部又は脚部を指圧する請求項１又は請求項２に記載のマッサージユニット
【請求項４】
請求項１乃至請求項３に記載のマッサージユニットを椅子の被施療者の腰掛けるシート部の前方に配置したことを特徴とするマッサージ機。
【発明の詳細な説明】
【技術分野】
【０００１】
本発明は、被施療者の腕部又は脚部にマッサージを施すマッサージユニットに関するものである。
【背景技術】
【０００２】
被施療者が腰掛けてマッサージを受ける椅子型のマッサージ機に脚部用のマッサージユニットを配置したものがある。
【０００３】
この種マッサージユニットとして、図１３に示すように、被施療者の脚部(60)を挿入できる形状に形成された凹部(20)の側壁面(22)(24)に夫々側面エアバック(30)(30)を一つずつ配置し、側面エアバック(30)(30)の膨張と収縮を繰り返すことにより、脚部(60)をマッサージするものがある(例えば、特許文献１参照)。
【０００４】
さらに、凹部(20)の底面(26)に指圧子(42)を配置し、指圧子(42)を出没させて、側面からだけでなく、底面からもマッサージを施せるようにしたマッサージユニットもある(例えば、特許文献２参照)。
【特許文献１】特開２００１−９５８６７号公報(第３−８頁、第１図)
【特許文献２】特開平１１−１２８２８９号公報(第４−８頁、第１図)
【発明の開示】
【発明が解決しようとする課題】
【０００５】
しかしながら、凹部底面からの指圧マッサージ効果を高めるには、脚部を凹部(20)に安定して保持する必要がある。そこで、従来は、側面エアバック(30)(30)を大きく膨張させることにより、脚部(60)を保持しようとしていた。
【０００６】
しかしながら、脚部を側面エアバック(30)により強く圧迫すると、皮膚の感覚が低下して、指圧マッサージ効果が薄れるという問題がある。また、従来の側面エアバック(30)は、図１３に示すように、側面エアバック(30)(30)が膨張、収縮の際に凹部の側壁面から受ける応力を減少させるために、側面エアバックは側壁面に完全に接着されるのではなく、一部だけを接着し、ある程度自由に動ける状態になっている。従って、凹部(20)に収容されたときの脚部(60)の位置が不適切であると、エアバック(30)(30)が膨張したときに、図１３に示すように、両側のエアバック(30)(30)からの力によって脚部(60)が押し出されて浮き上がってしまうことがあり、効率の良いマッサージ効果が得られない。
【０００７】
また、この状態で指圧子(42)による指圧マッサージを施しても、脚部(60)は安定して保持されていないから、指圧子が脚部に十分に届かず、効果の高い指圧マッサージを施すことは困難であった。
【０００８】
本発明の目的は、腕部又は脚部を安定して保持し、マッサージを施すことができるマッサージユニットを提供することである。
【課題を解決するための手段】
【０００９】
上記課題を解決するために、本発明のマッサージユニットは、
対向する２つの側壁の間に上面と前後両端が開口して形成される凹部と、該凹部の側面に配置され膨張及び収縮可能な側面エアバックとを具え、凹部に被施療者の腕部又は脚部を挿入し、側面エアバックの膨張と収縮を繰り返すことによって腕部又は脚部にマッサージを施すマッサージユニットにおいて、
前記凹部の底面に配置された指圧子と、
前記側面エアバックの前記凹部の側面と接する側の側面あるいは前記腕部又は脚部と接する側の側面で且つ凹部の開口側に形成された閉ループのコルゲート状の膨張部と、
側面エアバックを凹部に取り付けるために側面エアバックに一体に形成されて前記凹部の底面に取り付けられる可撓性のベルトと、
側面エアバックにエアポンプからの空気を供給するために接続されるチューブを具え、
側面エアバックは、膨張したときに、凹部の開口側が底面側に比べて、凹部の幅方向に大きく広がるようにしたものである。
【００１０】
前記指圧子は、膨張収縮する指圧子駆動手段となる底面エアバックにより駆動され、底面エアバックの膨張により突出して腕部又は脚部を指圧することが望ましい。
【００１１】
また、本発明のマッサージ機は、上記マッサージユニットを、被施療者の腰掛けるシート部の前方に配置したものである。
【発明の効果】
【００１２】
側面エアバックが膨張したときに、凹部の開口側が底面側に比べて、凹部の幅方向に大きく広がるようにしているので、側面エアバックは、凹部に挿入された腕部、脚部又は足先を斜め上側から押さえつけるため、これらが凹部から押し出されてしまうことはない。この状態で、指圧子駆動手段を動作させて指圧子を出没させることにより、効果的な指圧マッサージを施すことができる。
【００１３】
また、本発明のマッサージ機によれば、被施療者は腰掛けた状態で脚部等をマッサージユニットに挿入することにより、脚部等が安定して保持され、脚部等に効果的な指圧マッサージを受けることができる。
【発明を実施するための最良の形態】
【００１４】
図１及び図２は、本発明の基になったマッサージユニット(10)(80)を搭載した椅子型のマッサージ機(70)を示している。なお、以下では、椅子型マッサージ機(70)に脚部用マッサージユニット(10)と足先用マッサージユニット(80)の両方を搭載したものについて説明するが、脚部用マッサージユニット(10)のみを搭載したタイプのものにも本発明は適用できる。また、マッサージユニット(10)又は(80)をマッサージ機(70)に取り付けずに、単独で使用することもできる。
【００１５】
椅子型マッサージ機(70)は、公知のものを用いることができ、例えば、図に示すように、椅子の背凭れ部(74)に左右一対の施療指(76)(76)を有するマッサージ機構(75)を配置したものを挙げることができる。図示のマッサージ機構(75)は、背凭れ部(74)に沿って上下に昇降可能であり、施療指(76)(76)を互いに接近離間して被施療者に揉みマッサージを施したり、上下に揺動して叩きマッサージを施すことができる。
【００１６】
脚部用マッサージユニット(10)は、椅子型マッサージ機(70)のシート部(72)の前方に配置され、足先用マッサージユニット(80)は、脚部用マッサージユニット(10)の先端に配置される。
【００１７】
脚部用マッサージユニット(10)
マッサージ機(70)のシート部(72)には、連結フレーム(14)を介して、回動自在且つ位置決め可能に脚部用マッサージユニット(10)が配備される。
【００１８】
脚部用マッサージユニット(10)は、図３に示すように、ユニット筺体(12)に被施療者の脚部(ふくらはぎ)を挿入する一対の凹部(20)(20)を形成し、凹部(20)(20)の各々に側面エアバック(30)(30)と指圧子駆動手段(40)を配備して形成される。なお、以下では、指圧子駆動手段として、底面エアバック(40)を用いた例について説明するが、指圧子駆動手段はこれに限定されず、例えば、モータ等で駆動する機構としてもよい。
【００１９】
ユニット筺体(12)は、凹部(20)(20)の底面(26)(26)を構成する底壁(15)と、該底壁(15)の両端から上方に向けて平行に形成された第１側壁(16)(16)と、該第１側壁(16)(16)の間に第１側壁(16)(16)と対向するよう突設された第２側壁(18)とを具える。ユニット筺体(12)は樹脂等によって形成することができる。底壁(15)には、マッサージ機(70)に連繋する連結フレーム(14)が形成されている。凹部(20)は、第１側壁(16)、第２側壁(18)及び底壁(15)によって形成され、凹部の上面、前後両端は開口している。
【００２０】
凹部(20)には、第１側壁(16)又は第２側壁(18)の側壁面の一方又は両方に複数枚の側面エアバック(30)(30)が重ねた状態で配備される。なお、図３では、夫々外側に位置する第１側壁(16)の側壁面(22)のみに２枚の側面エアバック(30)(30)を重ねて装着している。また、他方の側壁面(24)(図３では第２側壁(18)の側壁面)には後述する弾性部材(50)が張り付けられている。
【００２１】
側面エアバック(30)(30)は、ポリエチレン等から構成することができる。側面エアバック(30)(30)は、側壁面(22)に完全に接着等を施すと、膨張、収縮の際に側面エアバック(30)(30)の接着部分に応力が生じてしまうことがある。従って、図６に示すように、可撓性のベルト(32)(32)を側面エアバック(30)(30)と一体に成形し、ベルト(32)(32)の先端を重ねてユニット筺体(12)にネジ止め等して、２枚の側面エアバック(30)(30)を束ねた状態で取り付けることが望ましい。
【００２２】
側面エアバック(30)(30)は、チューブ(34)(34)(図６参照)を介してエアポンプ(図示せず)に接続され、エアポンプからの空気の供給を受けて膨張する。
【００２３】
弾性部材(50)は、側面エアバック(30)(30)を膨張させたときに、被施療者の脚部が埋没する程度の弾性力を有するものを用いることが望ましく、ウレタン樹脂やスポンジ、発泡樹脂等から構成することができる。なお、弾性部材(50)は、図６に示すように、凹部(20)の底面(26)に近づくほど厚くなるように形成することが望ましい。底面(26)側を厚くすることによって、図６に示すように、脚部(60)が斜め上側から側面エアバック(30)(30)に押されたときに、脚部(60)をしっかりと保持できるからである。
【００２４】
凹部(20)(20)の底面(26)(26)には、図３に示すように、底面エアバック(40)(40)が取り付けられている。底面エアバック(40)には、夫々ウレタン樹脂等からなる指圧子(42)が突設されている。指圧子(42)は、底面エアバック(40)と熱圧着することが望ましい。熱圧着によって、指圧子(42)は柔軟な状態で装着されるので、底面エアバック(40)が膨張したときに、被施療者の患部に指圧子(42)の全体がフィットし、患部の一部分のみを押圧するようなことはない。底面エアバック(40)もチューブ(44)(図６参照)を介してエアポンプに接続される。
【００２５】
上記マッサージユニット(10)は、布カバー(図示せず)で表面を覆い、連結フレーム(14)を介して図１に示すように、椅子型マッサージ機(70)に取り付けられる。この布カバーで覆うことにより、側面エアバック(30)(30)は、側壁面(22)に接着等しなくても、凹部(20)内へ倒れることはなく、側壁面(22)に沿って保持される。
【００２６】
被施療者が椅子型マッサージ機(70)に腰掛けた状態で、脚部(ふくらはぎ)を凹部(20)(20)に夫々挿入した状態で、側面エアバック(30)(30)を膨張させると、側面エアバック(30)(30)は、ベルト(32)(32)の先端で係止されているから、側面エアバック(30)(30)は、凹部(20)の開口側が大きく膨らむ。これによって、被施療者の脚部(60)が、図６に示すように、側面エアバック(30)(30)に斜め上側から押されて、弾性部材(50)に埋没して、安定した状態となる。従って、側面エアバック(30)(30)によって脚部(60)が凹部(20)から押し出されてしまうこともない。
【００２７】
なお、弾性部材(50)は、柔軟な材質であるため、側面エアバック(30)(30)と弾性部材(50)に脚部(60)が挟まれても、圧迫感もない。
【００２８】
側面エアバック(30)(30)を膨張させた状態で、底面エアバック(40)を膨張させると、図６に示すように、指圧子(42)が脚部(60)を指圧マッサージする。脚部(60)は側面エアバック(30)(30)と弾性部材(50)に圧迫されることなく安定的に保持されているので、指圧子(42)の押圧力によって、脚部(60)が凹部(20)から押し出されてしまうこともなく、効果的な指圧マッサージを施すことができる。
【００２９】
なお、指圧子(42)は、凹部(20)の幅方向に長い形状とし、底面エアバック(40)に熱圧着しているから、脚部(60)に局部的に強い押圧力が加わることがないので、被施療者が痛みを感じることもない。
【００３０】
側面エアバック(30)(30)と底面エアバック(40)を一定時間毎に、または、ランダムに膨張、収縮させることによって、脚部(60)に揉みマッサージ、指圧マッサージを組み合わせたマッサージを施すことができる。
【００３１】
足先用マッサージユニット(80)
上記脚部用マッサージユニット(10)の先端には、図１及び図２に示すように、足先用マッサージユニット(80)が連結されている。足先用マッサージユニット(80)は、図示省略するリンク機構により、常に水平状態(図１の状態)を維持できるように連結されており、図２に示すように、脚部用マッサージユニット(10)を揺動させても、足先用マッサージユニット(80)は水平状態を保つ。従って、図２の状態で、被施療者がマッサージ機(70)に腰掛けたときに、足を前方に伸ばすことができる。
【００３２】
足先用マッサージユニット(80)は、図４に示すように、ユニット筺体(81)に被施療者の足先(くるぶしよりも下の部分)を挿入する一対の凹部(82)(82)を形成し、凹部(82)(82)の各々に側面エアバック(83)(83)と指圧子駆動手段(84)を配備して形成される。なお、以下では、指圧子駆動手段として、底面エアバック(84)を用いた例について説明するが、指圧子駆動手段はこれに限定されず、例えば、モータ等で駆動する機構としてもよい。
【００３３】
ユニット筺体(81)は、図４及び図５に示すように、凹部(82)(82)の底面(85)(85)を構成する底壁(86)と、該底壁(86)の両端から上方に向けて平行に形成された第１側壁(87)(87)と、該第１側壁(87)(87)の間に第１側壁(87)(87)と対向するよう突設された第２側壁(88)とを具える。ユニット筺体(81)は樹脂等によって形成することができる。底壁(86)には、脚部用マッサージユニット(10)に連繋する連結フレーム(89)が形成されている。凹部(82)は、第１側壁(87)、第２側壁(88)及び底壁(86)によって形成され、凹
部の上面、前後両端は開口している。
【００３４】
凹部(82)には、第１側壁(87)又は第２側壁(88)の側壁面の一方又は両方に複数枚の側面エアバック(83)(83)が配備される。なお、図４では、夫々外側に位置する第１側壁(87)の側壁面(90)にのみ２枚の側面エアバック(83)(83)を重ねて装着している。また、他方の側壁面(91)(図４では第２側壁(88)の側壁面)には後述する弾性部材(92)が張り付けられている。
【００３５】
側面エアバック(83)(83)は、図４、図５及び図７に示すように、被施療者の足先(99)のくるぶし部分よりも前方部分と接触するように前方側に配備することが望ましい。足先(99)の甲部分を上側から押さえることができるようにするためである。
【００３６】
側面エアバック(83)(83)は、ポリエチレン等から構成することができる。側面エアバック(83)(83)は、側壁面(90)に完全に接着等を施すと、膨張、収縮の際に側面エアバック(83)(83)の接着部分に応力が生じてしまうことがある。従って、図６に示すように、可撓性のベルト(93)と側面エアバック(83)を一体に成形し、両側面エアバック(83)(83)のベルト(93)(93)の先端を重ねてユニット筺体(81)にネジ止め等して、２枚の側面エアバック(83)(83)を束ねた状態で取り付けることが望ましい。
【００３７】
側面エアバック(83)(83)は、チューブ(94)(94)(図６参照)を介してエアポンプ(図示せず)に接続され、エアポンプからの空気の供給を受けて膨張する。
【００３８】
弾性部材(92)は、側面エアバック(83)(83)を膨張させたときに、被施療者の足先が埋没する程度の弾性力を有するものを用いることが望ましく、ウレタン樹脂やスポンジ、発泡樹脂等から構成することができる。なお、弾性部材(92)は、図６に示すように、凹部(82)の底面(85)に近づくほど厚くなるように形成することが望ましい。底面(85)側を厚くすることによって、図６に示すように、足先(99)が斜め上側から側面エアバック(83)(83)に押されたときに、足先(99)をしっかりと保持できるからである。
【００３９】
凹部(82)(82)の底面(85)(85)には、図４に示すように、底面エアバック(84)(84)が取り付けられている。底面エアバック(84)には、夫々ウレタン樹脂等からなる指圧子(95)が突設されている。指圧子(95)は、底面エアバック(84)と熱圧着することが望ましい。熱圧着によって、指圧子(95)は柔軟な状態で装着されるので、底面エアバック(84)が膨張したときに、被施療者の患部に指圧子(95)の全体がフィットし、患部の一部分のみを押圧するようなことはない。底面エアバック(84)もチューブ(94)(図６参照)を介してエアポンプに接続される。
【００４０】
底面エアバック(84)の上部には、指圧子(95)の突出する孔(96)が複数開設された足裏受部(97)が形成されている。足裏受部(97)は、凹部(82)に固定されており、底面エアバック(84)が収縮した状態で、被施療者が足裏で踏んでも、足裏に強く指圧子(95)が当たらないようにしている。
【００４１】
上記マッサージユニット(80)は、布カバー(図示せず)で表面を覆い、連結フレーム(89)(図４参照)を介して図１及び図２に示すように、脚部用マッサージユニット(10)に取り付けられる。この布カバーで覆うことにより、側面エアバック(83)(83)は、側壁面(90)に接着等しなくても、凹部(82)内へ倒れることはなく、側壁面(90)に沿って保持される。
【００４２】
被施療者が椅子型マッサージ機(70)に腰掛け、脚部(ふくらはぎ)を前述の脚部用マッサージユニット(10)に挿入し、足先を足先用マッサージユニット(80)の凹部(82)(82)に夫々挿入した状態で、側面エアバック(83)(83)を膨張させると、側面エアバック(83)(83)は、ベルト(93)(93)の先端で係止されているから、側面エアバック(83)(83)は、凹部(82)の開口側が大きく膨らむ。これによって、被施療者の足先(99)が、図６に示すように、側面エアバック(83)(83)に斜め上側から押されて、弾性部材(92)に埋没して、安定した状態となる。従って、側面エアバック(83)(83)によって足先(99)が凹部(82)から押し出されてしまうこともない。
【００４３】
なお、弾性部材(92)は、柔軟な材質であるため、側面エアバック(83)(83)と弾性部材(92)に足先(99)が挟まれても、圧迫感もない。
【００４４】
側面エアバック(83)(83)を膨張させた状態で、底面エアバック(84)を膨張させると、図６に示すように、指圧子(95)が足裏を指圧マッサージする。足先(99)は側面エアバック(83)(83)と弾性部材(92)に安定的に保持されているので、指圧子(95)の押圧力によって、足先(99)が凹部(82)から押し出されてしまうこともなく、効果的な指圧マッサージを施すことができる。
【００４５】
なお、指圧子(95)は、凹部(82)の幅方向に長い形状とし、底面エアバック(84)に熱圧着しているから、足裏に局部的に強い押圧力が加わることがないので、被施療者が痛みを感じることもない。
【００４６】
側面エアバック(83)(83)と底面エアバック(84)を一定時間毎に、または、ランダムに膨張、収縮させることによって、足先に揉みマッサージ、指圧マッサージを組み合わせたマッサージを施すことができる。
【００４７】
図７を用いて、以上述べたマッサージ機により脚部(60)及び足先(99)をマッサージする実施例について説明する。
【００４８】
脚部(60)の指圧マッサージを行なう場合には、図７に示すように、足先用マッサージユニット(80)の側面エアバック(83)(83)を膨張させて、足先(99)を保持させた状態で、脚部用マッサージユニット(10)の底面エアバック(40)を膨張、収縮させて、脚部(60)の指圧マッサージを行なうことができる。この場合、上述したように、脚部用マッサージユニット(10)の側面エアバック(30)(30)を膨張させて脚部(60)を保持しなくても、被施療者の身体とマッサージ機(10)のシート部(72)との間に作用する摩擦力と、足先(99)の保持により、被施療者の脚部(60)が脚部用マッサージユニット(10)から逃げることはない。従って、被施療者は脚部(60)を側面エアバック(30)によって圧迫されることなく、開放感のある指圧マッサージを受けることができる。
【００４９】
また、脚部用マッサージユニット(10)と足先用マッサージユニット(80)を組み合わせた指圧マッサージを行なう場合には、足先用マッサージユニット(80)の側面エアバック(83)(83)を膨張させて、足先(99)を保持させた状態で、脚部用マッサージユニット(10)の足先側に位置する底面エアバック(40)と、足先用マッサージユニット(80)のつま先側に位置する底面エアバック(84)を同時に膨張させればよい。これにより、足先(99)が持ち上げられた状態で脚部(ふくらはぎ)(60)が指圧されるので、アキレス腱のストレッチ効果を得ることができる。また、底面エアバック(40)(84)の膨張、収縮を組み合わせることによって、バリエーションに富んだ指圧マッサージを行なうことができる。
【００５０】
図８及び図９は、本発明の脚部用マッサージユニット(10)又は足先用マッサージユニット(80)に装着される側面エアバックの実施例を示している。なお、以下では、脚部用マッサージユニット(10)を例に挙げて説明するが、足先用マッサージユニット(80)にも適用することができる。
【００５１】
図示のエアバック(100)は、膨張したときに、マッサージユニット(10)又は(80)の凹部(20)の開口側が底面側に比べて、凹部(20)の幅方向に大きく広がる膨張部(102)を有している。膨張部(102)は、例えば、図に示すように、側面エアバック(100)の側壁面(22)(24)と接する側の側面の上部を閉ループのコルゲート状(蛇腹状)とすることにより形成することができる。膨張部(102)をコルゲート状とすることにより、側面エアバック(100)を膨張したときに、コルゲート部分が図１０に示すように大きく広がり、被施療者の脚部(60)等が斜め上側から凹部(20)に押しつけられる。なお、膨張部(102)は、脚部(60)と接する側の側面の上部に形成してもよい。
【００５２】
図１１は、図６に説明したマッサージユニットにおいて、マッサージユニット(10)の凹部(20)の両側に夫々一対の側面エアバック(30)(30)(30)(30)を装着した実施例である。図に示すように、凹部(20)の両側壁面(22)(24)に夫々側面エアバック(30)(30)を２枚ずつ装着することにより、被施療者の脚部(60)を左右斜め上側から押しつけることができるので、脚部(60)をより安定して保持することができる。
【００５３】
また、図１２は、図１０に説明した本発明のマッサージユニットにおいて、マッサージユニット(10)の凹部(20)の両側に、コルゲート状の膨張部(102)を有する側面エアバック(100)を夫々装着した実施例である。図に示すように、凹部(20)の両側壁面(22)(24)に夫々膨張部(102)(102)を有する側面エアバック(100)(100)を１枚ずつ装着することにより、上記と同様に、被施療者の脚部(60)を左右斜め上側から押しつけることができるので、脚部(60)をより安定して保持することができる。
【００５４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【００５５】
例えば、上記実施例では、椅子型マッサージ機(70)にマッサージユニット(10)を装着した例について説明したが、マッサージユニット(10)を単独で使用することもできる。また、本発明のマッサージユニット(10)は、上記実施例に示した脚部だけでなく、被施療者の腕部や足先にマッサージを施すユニットとして用いることもできる。
【図面の簡単な説明】
【００５６】
【図１】マッサージユニットを装着した椅子型マッサージ機の斜視図である。
【図２】マッサージユニットを装着した椅子型マッサージ機の斜視図である。
【図３】脚部用マッサージユニットの斜視図である。
【図４】足先用マッサージユニットの斜視図である。
【図５】足先用マッサージユニットの足裏受部を取り外した斜視図である。
【図６】マッサージユニットの断面図である。
【図７】脚部用及び足先用マッサージユニットによるマッサージを説明する図である。
【図８】膨張部を有する側面エアバックの斜視図である。
【図９】図８の線Ｘ−Ｘに沿う断面図である。
【図１０】膨張部を有する側面エアバックを装着したマッサージユニットの断面図である。
【図１１】２枚の側面エアバックを夫々凹部の側壁面に装着したマッサージユニットの他の実施例を示す断面図である。
【図１２】膨張部を有する側面エアバックを装着したマッサージユニットの他の実施例を示す断面図である。
【図１３】従来のマッサージユニットの断面図である。
【符号の説明】
【００５７】
(10)  脚部用マッサージユニット
(20)  凹部
(30)  側面エアバック
(32)  可撓性ベルト
(34)  チューブ
(40)  底面エアバック
(42)  指圧子
(70)  マッサージ機
(80)  足先用マッサージユニット
(82)  凹部
(83)  側面エアバック
・  底面エアバック
(93)   可撓性ベルト
(94)  チューブ
(95)  指圧子
(100)  側面エアバック
(102)  膨張部
【図１】
2008207000.tif 000003
【図２】
2008207000.tif 000004
【図３】
2008207000.tif 000005
【図４】
2008207000.tif 000006
【図５】
2008207000.tif 000007
【図６】
2008207000.tif 000008
【図７】
2008207000.tif 000009
【図８】
2008207000.tif 000010
【図９】
2008207000.tif 000011
【図１０】
2008207000.tif 000012
【図１１】
2008207000.tif 000013
【図１２】
2008207000.tif 000014
【図１３】
2008207000.tif 000015